(57)【要約】      （修正有）【課題】流線形気流を提供するための冷却システムを提供する。【解決手段】入口側３０６及び出口側３０７と、ファン部材３０５の入口側に位置する入口ファン保護コネクタ３５０と、ファン部材の出口側に位置する出口ファン保護コネクタ３６０と、入口ファン保護コネクタと出口ファン保護コネクタとの間に位置するレバーハウジング３３３と、レバーハウジング及び入口ファン保護コネクタと前記出口ファン保護コネクタとの間に介在するように位置決めされ、追加のモジュラー素子を固定するように配置される複数のスロット３７０と、を含むファン部材を備える冷却システム３００。【選択図】図３
2019124217.tif 000002
【特許請求の範囲】
【請求項１】
ファン部材を備え、流線形気流を提供するための冷却システムにおいて、
前記ファン部材は、
入口側及び出口側と、
前記ファン部材の前記入口側に位置する入口ファン保護コネクタと、
前記ファン部材の前記出口側に位置する出口ファン保護コネクタと、
前記入口ファン保護コネクタと前記出口ファン保護コネクタとの間に位置する複数のレバーハウジングと、
それぞれ前記レバーハウジング及び前記入口ファン保護コネクタと前記出口ファン保護コネクタとの間に介在するように位置決めされ、且つ複数の追加のモジュラー素子を固定するように配置される複数のスロットと、
を含む、冷却システム。
【請求項２】
前記入口ファン保護コネクタ及び／又は前記出口ファン保護コネクタは、四角形の突起であり、それらのコーナーの各々に、前記追加のモジュラー素子を接続するように配置される穴がある請求項１に記載の冷却システム。
【請求項３】
第１のサブデバイスが前記入口ファン保護コネクタのベースに付加され、且つ第２のサブデバイスが前記出口ファン保護コネクタのベースに付加される複数のダンパーを更に含む請求項１又は２に記載の冷却システム。
【請求項４】
前記ファン部材の前記スロットの少なくとも１つに接続されるように配置される空気シール部材を更に備え、前記空気シール部材は、当該空気シール部材を前記スロット内に固定するための対応する繋ぎ手段を含む請求項１〜３の何れか１項に記載の冷却システム。
【請求項５】
前記ファン部材をシャーシ構造内に固定するように配置される隣接点を含む繋ぎ手段を更に備える請求項１〜４の何れか１項に記載の冷却システム。
【請求項６】
ファン部材であって、
入口側及び出口側と、
前記ファン部材の前記入口側に位置し、複数の追加のモジュラー素子を接続するように配置される穴を含む複数の突起を含有する入口ファン保護コネクタと、
前記ファン部材の前記出口側に位置し、複数の追加のモジュラー素子を接続するように配置される穴を含む複数の突起を含有する出口ファン保護コネクタと、
前記入口ファン保護コネクタと前記出口ファン保護コネクタとの間に位置する複数のレバーハウジングと、
それぞれ前記レバーハウジング及び前記入口ファン保護コネクタと前記出口ファン保護コネクタとの間に介在するように位置決めされ、且つ複数の追加のモジュラー素子を固定するように配置される複数のスロットと、
を備えるファン部材。
【請求項７】
前記レバーハウジングの各々は、隣接するファン部材を固定するように配置される複数の受取穴を含み且つ前記ファン部材から突出する複数のフィンガーハンドルを備える請求項６に記載のファン部材。
【請求項８】
前記レバーハウジングの各々は、前記追加のモジュラー素子を固定するように配置される穴を含み、隣接するファン部材に合わせ面を提供するように配置される平面合わせ面に接続される請求項６又は７に記載のファン部材。
【請求項９】
前記ファン部材の前記入口側に位置し、複数の取付点を含む入口フレームと、
前記ファン部材の前記出口側に位置し、複数の取付点を含む出口フレームと、
を備える請求項６〜８の何れか１項に記載のファン部材。
【請求項１０】
流線形気流を提供するための冷却システムにおいて、
ファン部材であって、入口側及び出口側と、前記ファン部材の前記入口側に位置し、複数の取付点を含む入口フレームと、前記ファン部材の前記入口側に位置し、四角形の突起であり、それらのコーナーの各々に、複数の追加のモジュラー素子を接続するように配置される穴がある入口ファン保護コネクタと、前記ファン部材の前記出口側に位置し、複数の取付点を含む出口フレームと、前記ファン部材の前記出口側に位置し、四角形の突起であり、それらのコーナーの各々に、前記追加のモジュラー素子を接続するように配置される穴がある出口ファン保護コネクタと、前記入口ファン保護コネクタと前記出口ファン保護コネクタとの間に位置し、それぞれ前記ファン部材から突出し、隣接するファン部材を固定するように配置される複数の受取穴を含む複数のフィンガーハンドルを含み、且つそれぞれ前記追加のモジュラー素子を固定するように配置される穴を含み、それぞれ平面合わせ面に接続され、それぞれ合わせ面を前記隣接するファン部材に提供するように配置される複数のレバーハウジングと、それぞれ前記レバーハウジング及び前記入口ファン保護コネクタと前記出口ファン保護コネクタとの間に介在するように位置決めされ、且つ前記追加のモジュラー素子を固定するように配置される複数のスロットと、を含有するファン部材と、
前記取付点によって前記入口フレームに接続され、ファンガードを含む入口ベルマウスと、
前記取付点によって前記出口フレームに接続されており、複数のバッフル部材に接続されるように無指向性空気入口ブレード内に固定されるスピナーフェアリングを含み、前記バッフル部材の各々は前記スピナーフェアリングから前記無指向性空気入口ブレードの内面へ延出するバイアス素子を含み、且つ前記バイアス素子はピボットとして配置されて、前記バッフル部材をオープン位置とクローズド位置との間で回転させるようにし、前記バイアス素子は前記入口から前記ファン部材によって前記出口へ流れる正方向気流に対応するように配置されるバネ付勢構造を含み、前記バイアス素子が前記入口から前記ファン部材によって前記出口へ流れる正方向気流に対応するように配置される重量駆動構造を含む無指向性空気入口ブレードと、
第１のサブデバイスが前記入口ファン保護コネクタのベースに付加され、且つ第２のサブデバイスが前記出口ファン保護コネクタのベースに付加される複数のダンパーと、
前記ファン部材の前記スロットの少なくとも１つに接続されるように配置される空気シール部材と、
前記ファン部材をシャーシ構造内に固定するように配置される隣接点を含む繋ぎ手段と、
を備え、
前記空気シール部材は、当該空気シール部材を前記スロット内に固定するように対応する繋ぎ手段を含む冷却システム。
【発明の詳細な説明】
【技術分野】
【０００１】
本発明は、冷却システムに関し、特に、改良された気流を有する冷却システムに関する。
【背景技術】
【０００２】
現代のデータセンターにおけるコンピュータサーバーシステムは、一般的に、特定の配置をサーバーラックに取り付けることで、例えば、サーバートレイ（ｓｅｒｖｅｒ  ｔｒａｙ）、サーバーシャーシ（ｓｅｒｖｅｒ  ｃｈａｓｓｉｓ）、サーバースレッド（ｓｅｒｖｅｒ  ｓｌｅｄ）、サーバーブレード（ｓｅｒｖｅｒ  ｂｌａｄｅ）等の多数のコンピュータモジュールが互いに積み重ねるようにサーバーラック内に置かれるようにする。空間を効率的に使用するために、ラックマウントシステムでは、コンピュータモジュールの垂直配置ができる。一般に、コンピュータモジュールの各々は、サーバラックに滑り込み又はサーバラックから滑り出すことができる。また、例えば、入出力（Ｉ／Ｏ）ケーブル、ネットワークケーブル、電源ケーブル等の各種類のケーブルは、サーバラックの前端又は後端でコンピュータモジュールに接続されることができる。複数のコンピュータモジュールの各々は、１つ又は複数のコンピュータサーバー又はコンピュータサーバー素子を含み、或いは、１つ又は複数のコンピュータサーバー又はコンピュータサーバー素子を収納することができる。例えば、コンピュータモジュールは、プロセッサー、記憶体、ネットワークコントローラ、ディスクドライブ、ケーブルポート、電源等のハードウェア回路を含む。
【発明の概要】
【発明が解決しようとする課題】
【０００３】
数多くのモジュール配置において、ラックマウントシステム内におけるファンは、空気がシャーシ周辺の前端からコンピュータモジュール及び他の素子を貫通して、シャーシ周辺の後端から放出されるように配置される。数多くの電子素子が動作中に熱を生じ、且つシャーシ内におけるコンピュータモジュールの密度が高いので、コンピュータモジュールにより、熱が大量に発生する。そのため、シャーシ周辺を貫通する空気の流れは、コンピュータモジュールの過熱の防止に不可欠である。従って、コンピュータサーバーシステム及び他の形態のコンピュータ装置のファン性能を改善することは、至急に所望されている。
【課題を解決するための手段】
【０００４】
本技術を理解するために、以下、１つ又は複数の実施例の簡単な概要を提供する。本発明の内容は、本技術の全ての重要な実施例の詳しい概要ではなく、且つ例示される全ての重要又は肝心な素子を定義するためのものではなく、本技術の任意又は全ての態様の範囲を説明するためのものでもない。この部分の目的は、下記で提示されるより詳細な説明の前置きとして、例示された態様の１つ又は複数を簡単に提示するためのものである。
【０００５】
流線形気流を提供するための冷却システムにおいて、入口側及び出口側と、ファン部材の入口側に位置する入口ファン保護コネクタと、ファン部材の出口側に位置する出口ファン保護コネクタと、入口ファン保護コネクタと出口ファン保護コネクタとの間に位置するレバーハウジングと、レバーハウジング及び入口ファン保護コネクタと前記出口ファン保護コネクタとの間に介在するように位置決めされ、追加のモジュラー素子を固定するように配置される複数のスロットと、を含むファン部材を備える冷却システムを提供する。
【０００６】
ある実施例において、入口ファン保護コネクタは、四角形の突起であり、それらのコーナーの各々に、追加のモジュラー素子を接続するように配置される穴がある。ある実施例において、出口ファン保護コネクタも、四角形の突起であり、且つ各コーナーに、追加のモジュラー素子を接続するように配置される穴がある。ある実施例において、レバーハウジングの各々は、隣接するファン部材を固定するように配置される受取穴を含んでよく且つファン部材から突出する複数のフィンガーハンドルを備える。ある実施例において、レバーハウジングの各々は、追加のモジュラー素子を固定するように配置される穴を含み、隣接するファン部材に合わせ面を提供するように配置される平面合わせ面に接続される。
【０００７】
ある実施例において、冷却システムは、ファン部材の入口側に位置し、取付点を含む入口フレームを更に含む。ある実施例において、冷却システムは、取付点によって入口フレームに接続され、ファンガードを含む入口ベルマウスを更に含む。ある実施例において、冷却システムは、ファン部材の出口側に位置し、取付点を含む出口フレームを更に含む。
【０００８】
ある実施例において、冷却システムは、複数の取付点によって出口フレームに接続される無指向性空気入口ブレードを更に含んでもよい。無指向性空気入口ブレードは、複数のバッフル部材に接続されるように無指向性空気入口ブレード内に固定されるスピナーフェアリングを含んでよい。ある実施例において、バッフル部材の各々はスピナーフェアリングから無指向性空気入口ブレードの内面へ延出するバイアス素子を含んでよい。ある実施例において、バイアス素子はピボットとして配置されて、バッフル部材をオープン位置とクローズド位置との間で回転させるようにする。ある実施例において、バイアス素子は、入口からファン部材によって出口へ流れる正方向気流に対応するように配置されるバネ付勢構造を含む。ある実施例において、バイアス素子は、入口からファン部材によって出口へ流れる正方向気流に対応するように配置される重量駆動構造を含む。
【０００９】
ある実施例において、冷却システムは、ダンパーを更に含む。ある実施例において、ダンパーは、第１のサブデバイスが入口ファン保護コネクタのベースに付加され、第２のサブデバイスが出口ファン保護コネクタのベースに付加される。ある実施例において、冷却システムは、ファン部材のスロットに接続される空気シール部材を更に含む。ある実施例において、空気シール部材は、空気シール部材をスロット内に固定するように対応する繋ぎ手段を含む。
【００１０】
ある実施例において、冷却システムは、繋ぎ手段を更に含む。繋ぎ手段は、シャーシ構造より延伸されたものであってよい。繋ぎ手段は、ファン部材をシャーシ構造内に固定するように配置される隣接点を含んでよい。
下記の添付図面についての説明は、本発明の上記及び他の目の、特徴、メリット及び実施例をより分かりやすくするためのものである。
【図面の簡単な説明】
【００１１】
【図１】当該分野に既知の例示的な従来の冷却システムを示す前面図である。
【図２】従来技術に既知の図１の例示的な従来の冷却システム１００を示す後面図である。
【図３】本発明の一実施例による例示的な冷却システムを示す前面図である。
【図４】本発明の一実施例による冷却システムの機能性を向上させるために追加のモジュラー素子を有する図３の例示的な冷却システムを示す前面図である。
【図５】本発明の一実施例による図４の無指向性空気入口ブレードのオープン状態を示す前面図である。
【図６】本発明の一実施例による図４の無指向性空気入口ブレードのクローズド状態を示す前面図である。
【図７】本発明の一実施例による冷却システムの機能性を向上させるために追加のモジュラー素子を有する図３の例示的な冷却システムのベースを示す斜視図である。
【図８】本発明の一実施例による冷却システムの機能性を向上させるために追加のモジュラー素子を有する図３の例示的な冷却システムを示す同じサイズの斜視図である。
【図９】本発明の一実施例による冷却システムの機能性を向上させるために追加のモジュラー素子を有する図３の例示的な冷却システムを示す同じサイズの斜視図である。
【発明を実施するための形態】
【００１２】
本開示では、図面を参照して説明するが、図面に用いられる同じ図面番号で類似又は同一の素子を示す。図面は、実際的な比例として描かれたものではなく、本開示を説明するためのものだけである。以下、示された具体的な適用で本開示のいくつかの態様を説明する。理解すべきなのは、本開示を完全に理解させるように、数多くの特定の細部、関係及び方法を列挙する。しかしながら、当業者であれば、本開示が１つ又は複数の特定の細部又は他の方法がなくても実施することができることを容易に理解するべきである。一方、本開示を不明瞭にしないように、周知の構造又は動作を詳しく示さない。本開示は、示される行為又はイベントの順序によって限定されなく、例えば、いくつかの行為が異なる順序で及び／又は他の工程又はイベントと同時に行ってもよい。なお、本開示による方法を達成させる場合、示された全ての行為又はイベントが必要とされるわけではない。
【００１３】
流線形気流を提供するための冷却システムを提供する。このシステムは、入口側及び出口側を有するファン部材を備える。ファン部材は、ファン部材の入口側に位置する入口ファン保護コネクタ及びファン部材の出口側に位置する出口ファン保護コネクタを更に含む。ファン部材は、入口ファン保護コネクタと出口ファン保護コネクタとの間に位置するレバーハウジング（ｌｅｖｅｒ  ｈｏｕｓｉｎｇｓ）、並びにレバーハウジング及び入口ファン保護コネクタと前記出口ファン保護コネクタとの間に介在するように位置決めされるスロットも含み、複数のスロットが追加のモジュラー素子を固定するように配置される。
【００１４】
図１は従来技術に既知の例示的な従来の冷却システム１００を示す前面図である。冷却システム１００は、シェル１１０を含む。シェル１１０は、第１の末端にある入口ファン保護コネクタ１２０及びシェル１１０の反対末端にある出口ファン保護コネクタ１３０を含む。入口ファン保護コネクタ１２０及び出口ファン保護コネクタ１３０は、それぞれ穴１２１及び穴１３１を含む。入口ファン保護コネクタ１２０の穴１２１は出口ファン保護コネクタ１３０の穴１３１に位置を合わせる。アラインメント線は、線Ａ−Ａ’及び線Ｂ−Ｂ’で示される。冷却システム１００は、複数のファンブレード１１２（例えば、示される５枚のファンブレード１１２）を含んでもよい。冷却システムは、それぞれ複数のファンブレード１１２を含む中心ファン部１１４を含んでよい。中心ファン部１１４及び複数のファンブレード１１２は、入口ファン保護コネクタ１２０に位置してよい。
【００１５】
図２は、図１の例示的な従来の冷却システム１００を示す後面図である。ファンガード部材１３５は、出口ファン保護コネクタ１３０に接続される。ある実施例において、ファンガード部材１３５は、瞬時コネクタ（未図示）によって出口ファン保護コネクタ１３０に接続され、瞬時コネクタが穴１３１（図１に示すように）に対応する。ファンガード部材１３５は、ファンブラケット１３７を含む。ファンブラケット１３７は、固定され、ファンブラケット１３７がファンブレード１１２（図１に示すように）と一緒に回転しないことを意味する。冷却システム１００は、固定のシェルを含み、小さい修正能力だけを有する。冷却システム１００の効能を高めるために、追加の機能性を含むようにシェル１１０は修正可能であるべきである。
【００１６】
図３は、本発明の一実施例による例示的な冷却システム３００を示す前面図である。冷却システム３００は、入口側３０６及び出口側３０７を有するファン部材３０５を含んでよい。入口フレーム３１０は、ファン部材３０５の入口側３０６に位置してよい。入口フレーム３１０は、入口素子を引き受けるように配置される複数の接続スロット３１１を含んでよい。以下、具体的な実施例によりより詳しい説明を行う。ファン部材３０５の入口側３０６は、入口ファン保護コネクタ３５０を含んでもよい。入口ファン保護コネクタ３５０は、四角形であってよい。入口ファン保護コネクタ３５０の各コーナーは、穴３５１を含んでよい。
【００１７】
ファン部材３０５の出口側は、出口フレーム３２０を含んでよい。入口フレーム３１０と類似しており、出口フレーム３２０は、出口素子を引き受けるように配置される複数の接続スロット（未図示）を含んでよい。ファン部材３０５の出口側３０７は、出口ファン保護コネクタ３６０を含んでもよい。出口ファン保護コネクタ３６０は、四角形であってよい。出口ファン保護コネクタ３６０の各コーナーは、穴３６１を含んでもよい。入口ファン保護コネクタ３５０及び出口ファン保護コネクタ３６０の間に位置するのは、複数のレバーハウジング３３３である。各レバーハウジング３３３は、フィンガーハンドル３３１を含んでよい。フィンガーハンドル３３１は、ファン部材３０５から延出する突起であってよい。ファン部材３０５の人間工学を最適化し、更にファン部材３０５のモジュラー部を接続するように、レバーハウジング３３３は含まれてよい。特に、フィンガーハンドル３３１は、ファン部材３０５の操作を最適化するように溝穴を含んでよい。各フィンガーハンドル３３１は、受取穴３３４を含んでよい。受取穴３３４は、開示されるファン部材３０５と隣接するファン部材を固定するように配置されるネジ穴であってよい。例として、２つ目の同じファン部材は、フィンガーハンドル３３１が位置合わせ且つ受取穴３３４が位置合わせるように、ファン部材３０５の直上に固定されてよい。ネジ穴又は他の固定素子は、２つ目の同じファン部材を開示されるファン部材３０５に接続するように固定することに用いられる。各フィンガーハンドル３３１は、穴３３２を含んでもよい。穴３３２は、入口ファン保護コネクタ３５０の穴３５１及び出口ファン保護コネクタ３６０の穴３６１に位置合わせてよい。穴３３２は、追加のモジュラー素子をファン部材３０５に固定することに用いられてよい。以下、図８及び図９の実施例により詳しい説明を行う。
【００１８】
ファン部材３０５は、入口ファン保護コネクタ３５０及び第１のレバーハウジング３３３を分ける第１のギャップ３８０を含んでよい。第１のギャップ３８０は、スロット３７０を含んでよい。スロット３７０は、追加のモジュラー素子をファン部材３０５に接続することに用いられてよい。以下、図８及び図９に示す具体的な実施例により説明する。第１のレバーハウジング及び第２のレバーハウジング３３３は、第２のギャップ３８３によって分けられてよい。第１のレバーハウジング及び第２のレバーハウジング３３３は、平らな表面３４０に付着されてよい。平らな表面３４０は、平らな合わせ面を提供して、ファン部材をペアリングしてファン部材３０５に隣接される。第２のレバーハウジング３３３及び出口ファン保護コネクタ３６０は、第３のギャップ３８５によって分けられてよい。第１のギャップ３８０と類似しており、第３のギャップ３８５は、追加のモジュラー素子をファン部材３０５に接続するように配置されるスロット３７０を含んでよい。
【００１９】
図４は、本発明の一実施例による追加のモジュラー素子を有する図３の例示的な冷却システムを示す前面図である。冷却システム３００の追加モジュール素子は、冷却システム３００の機能性を向上させるようにファン部材３０５に接続されてよい。ある実施例において、追加モジュール素子は、入口ベルマウス５００を含んでよい。入口ベルマウス５００は、ファン部材３０５の入口側３０６に位置してよい。入口ベルマウス５００は、入口フレーム３１０を接続するように配置されてよい。特に、入口ベルマウス５００は、入口フレーム３１０の接続スロット３１１に接続するように配置される１連の接続部材５２０を含んでよい。入口ベルマウス５００は、ファンガード部材５１０を含んでよい。ある実施例において、ファンガード部材５１０は、入口ベルマウス５００の間に固定され、且つ後続きファン部材３０５に接続されてよい。本発明の別の実施例において、ファンガード部材５１０は、直接、ファン部材３０５の入口フレーム３１０に接続されてよい。この実施例において、入口ベルマウス５００は、ファンガード部材５１０と面一となるようにファン部材に接続されてよい。
【００２０】
同様に、追加のモジュラー素子は、出口ディフューザー又は無指向性空気入口ブレード（ｏｍｎｉ−ｌｏｕｖｅｒ）４００を含んでよい。無指向性空気入口ブレード４００は、ファン部材３０５の出口側３０７に位置してよい。無指向性空気入口ブレード４００は、出口フレーム３２０に接続されるように配置されてよい。特に、無指向性空気入口ブレード４００は、出口フレーム３２０の接続部材（未図示）に接続するように配置される１連の接続部材４２０を含んでよい。
【００２１】
図５は、本発明の一実施例による図４の無指向性空気入口ブレード４００のオープン状態を示す前面図である。なお、図６は、本発明の一実施例による図４の無指向性空気入口ブレード４００のクローズド状態を示す前面図である。無指向性空気入口ブレード４００は、内面４５０及び外面４４０を含んでよい。無指向性空気入口ブレード４００は、内面４５０から外面４４０へ延出する複数の穴を含んでよい。無指向性空気入口ブレード４００は、スピナーフェアリング（ｓｐｉｎｎｅｒ  ｆａｉｒｉｎｇ）４１０を含んでよい。スピナーフェアリング４１０は、バッフル部材４３０に接続されるように無指向性空気入口ブレード４００内に固定されてよい。各バッフル部材４３０は、スピナーフェアリング４１０から無指向性空気入口ブレード４００の内面４５０へ延出するバイアス素子４３１を含んでよい。バイアス素子４３１は、無指向性空気入口ブレード４００内の穴４６０に差し込まれてよい。従って、バッフル部材４３０は、バイアス素子４３１と一緒に回転するように配置され、バイアス素子４３１が無指向性空気入口ブレード４００の本体内に固定される。バイアス素子４３１は、バッフル部材４３０を図５に示すオープン位置及び図６に示すクローズド位置の間に回転するようにピボットとして配置されてよい。
【００２２】
ある実施例において、バイアス素子４３１は、ファン部材３０５（入口側３０６から出口側３０７へ）を流れる正方向気流に対応するように配置されるバネ式又はバネ付勢構造であってよい。この配置において、バネ式又はバイアス素子４３１のバネ付勢構造は、個別の切断部へ向かってバッフル部材４３０にバイアスを印加するように配置されてよい。他の実施例において、バイアス素子４３１は、ファン部材３０５の正方向気流に対応するように配置される重力又は重量駆動構造であってよい。この実施例において、バッフル部材４３０の加重部４３５は、高い密度を持つように配置されてよいため、重い重量を有して、正方向気流がかかる時に、加重部４３５によりバッフル部材４３０がバイアスされて個別の切断部に向かう。制限のない別のタイプのバイアス素子４３１を使用してもよい。冷却システム３００の効能を向上させるように、他のモジュールをファン部材３０５に加えてよい。
【００２３】
図７は、本発明の一実施例による追加のモジュラー素子を有する図３の例示的な冷却システムのベースを示す斜視図である。冷却システム３００の追加モジュール素子は、冷却システムの機能性を向上させるようにファン部材３０５のベースに粘着されてよい。ある実施例において、追加のモジュラー素子は、ダンピング材（即ち、後述のダンパー）６００を含んでよい。入口ファン保護コネクタ３５０のベースは、ダンパー６００を収納するように配置される収納空間を含んでよい。類似的に、出口ファン保護コネクタ３６０は、ダンパー６００を収納するように配置される収納空間を含んでよい。例示的な収納空間は、ネジ穴、スロット又は他の従来の付属品を含んでよい。ダンパー６００は、冷却部材からブレードサーバ（未図示）への震動を減少するように、ファン部材３０５の入口ファン保護コネクタ３５０及び出口ファン保護コネクタ３６０のベースに付着されてよい。ダンパー６００は、シリコーン樹脂、ゴムポリマー、及び当該技術分野における周知の他の弾性材料から構成してよい。例として、ダンパー６００は、取付点（例えば、孔）に差し込まれるラバーワッシャーであってよく、また、取付点が入口ファン保護コネクタ３５０及び出口ファン保護コネクタ３６０のベース内にある。
【００２４】
ファン部材３０５には、追加モジュール素子を固定することに用いられる他の取付点を有する。再び図３を参照すると、第１のギャップ３８０及び第３のギャップ３８５内に位置するスロット３７０は、空気シール部材を組み合わせることに用いられてよい。図８及び図９は、本発明の一実施例による追加のモジュラー素子を有する図３の例示的な冷却システムを示す前面図である。冷却システム３００の追加モジュール素子は、冷却システム３００の機能性を向上させるようにファン部材３０５のベースに粘着されてよい。ある実施例において、追加モジュール素子は、空気シール部材７００を含んでよい。空気シール部材７００は、第１のギャップ３８０のファン部材３０５に粘着されてよい。空気シール部材７００は、スロット３７０内の空気シール部材７００に固定される対応する繋ぎ手段（ｍａｔｉｎｇ  ｃｏｎｆｉｇｕｒａｔｉｏｎ）を有してよい。含んでよい例は、対応する突出点は、第１のギャップ３８０内に固定されるように配置されることである。ダンピング材による構造の空気シール部材７００は、防振構造としても使用されてよい。この実施例において、空気シール部材７００は、２つの隣接する冷却部材の間に不必要な気流を防止するだけでなく、且つ各冷却部材の震動が隣接する冷却システム又はブレードサーバ（未図示）により発生しない。
【００２５】
再び図９を参照すると、ファン部材３０５は、シャーシ構造１０００内に位置してよい。シャーシ構造１０００は、ファン部材３０５を固定するように配置される繋ぎ手段１０２０を含んでよい。繋ぎ手段１０２０は、ファン部材３０５をシャーシ構造１０００内に固定するように配置される隣接点１０３０を含んでよい。隣接点１０３０は、隣接点１０３０をファン部材３０５のスロット３７０内に固定する対応する繋ぎ手段を含んでよい。含んでよい例において、対応する突出点は、第１のギャップ３８０内に固定するように配置される。図９示すように、複数の冷却システム３００は、シャーシ構造１０００内に配置されて、繋ぎ手段１０２０により隣接する他方に位置合わせる。このように、開示される冷却システム３００は、追加のモジュラー素子を収納するように配置されて、更に多種類の機能性を有するファン部材の効能を向上させる。
【００２６】
上記の明細書は、当業者が本発明を作成又は使用することを可能にするものである。本発明の様々な変更は、当業者には明らかであり、ここで定義される一般原理は、本発明の範囲から逸脱することなく他の変形例に適用され得る。従って、本発明は、ここに記載された具体例及び設計に限定されることを意図するものではなく、本発明に開示された原理及び新規な特徴と一致するものは最も広い範囲とされる。
【符号の説明】
【００２７】
１００、３００  冷却システム
１１０  シェル
１１２  ファンブレード
１１４  中心ファン部
１２０、３５０  入口ファン保護コネクタ
１２１、１３１、３３２、３５１、３６１、４６０  穴
１３０、３６０  出口ファン保護コネクタ
１３５、５１０  ファンガード部材
１３７  ファンブラケット
３０５  ファン部材
３０６  入口側
３０７  出口側
３１０  入口フレーム
３１１  接続スロット
３２０  出口フレーム
３３１  フィンガーハンドル
３３３  レバーハウジング
３３４  受取穴
３４０  平らな表面
３７０  スロット
３８０  第１のギャップ
３８３  第２のギャップ
３８５  第３のギャップ
４００  無指向性空気入口ブレード
４１０  スピナーフェアリング
４２０  接続部材
４３０  バッフル部材
４３１  バイアス素子
４３５  加重部
４４０  外面
４５０  内面
５００  入口ベルマウス
５２０  接続部材
６００  ダンパー
７００  空気シール部材
１０００  シャーシ構造
１０２０  繋ぎ手段
１０３０  隣接点
【図１】
2019124217.tif 000003
【図２】
2019124217.tif 000004
【図３】
2019124217.tif 000005
【図４】
2019124217.tif 000006
【図５】
2019124217.tif 000007
【図６】
2019124217.tif 000008
【図７】
2019124217.tif 000009
【図８】
2019124217.tif 000010
【図９】
2019124217.tif 000011